【手続補正書】
【提出日】平成18年11月29日(2006.11.29)
【手続補正１】
【補正対象書類名】明細書
【補正対象項目名】特許請求の範囲
【補正方法】変更
【補正の内容】
【特許請求の範囲】
【請求項１】
接続される負荷に多相交流で電力を出力する電力変換装置であって、
前記多相交流の各相を構成する複数の各相電力経路と、
前記複数の各相電力経路にそれぞれ接続される複数の各相電力出力回路と、
前記複数の各相電力出力回路にそれぞれ接続される複数の各相電力蓄積手段と、
前記複数の各相電力経路に接続される多相電力出力回路と、
前記多相電力出力回路に接続される多相電力蓄積手段と、
前記複数の各相電力出力回路と前記多相電力出力回路とを制御して、前記複数の各相電力経路を経由して前記負荷に所定値の電力を出力させる制御回路と
を備え、
前記複数の各相電力出力回路は、
前記制御回路の制御に基づいて、接続される前記各相電力蓄積手段に蓄積される電力を接続される前記各相電力経路に出力すること、または前記接続される各相電力経路を経由して入力される電力を前記接続される各相電力蓄積手段に蓄積することを可能とし、
前記多相電力出力回路は、
前記制御回路の制御に基づいて、前記多相電力蓄積手段に蓄積される電力を前記各相電力経路に出力することを可能とすること
を特徴とする電力変換装置。
【請求項２】
前記制御回路は、
前記各相電力蓄積手段に蓄積される電力と、前記各相電力蓄積手段から出力される電力とが所定期間において等しくなるように制御すること
を特徴とする請求項１に記載の電力変換装置。
【請求項３】
前記制御回路は、
前記各相電力蓄積手段に電力が蓄積される期間と、前記各相電力蓄積手段から電力が出力される期間とが時間的に等しくなるように制御すること
を特徴とする請求項１または２に記載の電力変換装置。
【請求項４】
前記制御回路は、
前記各相電力蓄積手段に電力が蓄積される期間と、前記各相電力蓄積手段から電力が出力される期間とを前記交流の周期に基づいて設定すること
を特徴とする請求項１から３のいずれか１項に記載の電力変換装置。
【請求項５】
前記制御回路は、
いずれか一方の期間の後に他方の期間が続いて存在するように制御すること
を特徴とする請求項３または４に記載の電力変換装置。
【請求項６】
前記制御回路は、
前記各相電力蓄積手段の検出電圧に基づいて、前記各相電力蓄積手段に電力を蓄積し、または前記各相電力蓄積手段から電力を出力するよう制御すること
を特徴とする請求項１から５のいずれか１項に記載の電力変換装置。
【請求項７】
前記多相電力蓄積手段に蓄積される電力は、前記各相電力蓄積手段に蓄積される電力よりも大きいこと
を特徴とする請求項１から６のいずれか１項に記載の電力変換装置。
【請求項８】
前記多相電力出力回路が出力する電力は、絶対値が等しい正極、または負極の電力であること
を特徴とする請求項１から７のいずれか１項に記載の電力変換装置。
【請求項９】
前記絶対値は一つであること
を特徴とする請求項８に記載の電力変換装置。
【請求項１０】
前記絶対値は複数個であること
を特徴とする請求項８に記載の電力変換装置。
【請求項１１】
前記各相電力出力回路は、
スイッチング素子をフルブリッジに構成した回路であること
を特徴とする請求項１から１０のいずれか１項に記載の電力変換装置。
【請求項１２】
前記スイッチング素子は半導体素子であること
を特徴とする請求項１１に記載の電力変換装置。
【請求項１３】
接続される負荷に多相交流で電力を出力する電力変換装置であって、
前記多相交流の各相を構成する複数の各相電力経路と、
前記複数の各相電力経路にそれぞれ接続される複数の各相電力出力回路と、
前記複数の各相電力出力回路にそれぞれ接続される複数の各相電力蓄積手段と、
前記複数の各相電力経路に接続される多相電力出力回路と、
前記多相電力出力回路に接続される多相電力蓄積手段と、
前記複数の各相電力出力回路と前記多相電力出力回路とを制御して、前記複数の各相電力経路を経由して前記負荷に所定値の電力を出力させる制御回路と
を備え、
前記複数の各相電力出力回路は、
前記制御回路の制御に基づいて、接続される前記各相電力蓄積手段に蓄積される電力を正の極性、または負の極性の電力として接続される前記各相電力経路に出力することを可能とし、
前記多相電力出力回路は、
前記制御回路の制御に基づいて、前記多相電力蓄積手段に蓄積される電力を正の極性、または負の極性の電力として前記各相電力経路に出力することを可能とし、
前記制御回路は、
前記各相電力出力回路から出力される電力の極性と、前記各相電力出力回路が接続される前記各相電力経路から前記負荷に出力される電力の極性とが異なることを可能とすること
を特徴とする電力変換装置。
【手続補正２】
【補正対象書類名】明細書
【補正対象項目名】０００６
【補正方法】変更
【補正の内容】
【０００６】
【課題を解決するための手段】
この発明に係る電力変換装置は、
接続される負荷に多相交流で電力を出力する電力変換装置であって、
前記多相交流の各相を構成する複数の各相電力経路と、
前記複数の各相電力経路にそれぞれ接続される複数の各相電力出力回路と、
前記複数の各相電力出力回路にそれぞれ接続される複数の各相電力蓄積手段と、
前記複数の各相電力経路に接続される多相電力出力回路と、
前記多相電力出力回路に接続される多相電力蓄積手段と、
前記複数の各相電力出力回路と前記多相電力出力回路とを制御して、前記複数の各相電力経路を経由して前記負荷に所定値の電力を出力させる制御回路と
を備え、
前記複数の各相電力出力回路は、
前記制御回路の制御に基づいて、接続される前記各相電力蓄積手段に蓄積される電力を接続される前記各相電力経路に出力すること、または前記接続される各相電力経路を経由して入力される電力を前記接続される各相電力蓄積手段に蓄積することを可能とし、
前記多相電力出力回路は、
前記制御回路の制御に基づいて、前記多相電力蓄積手段に蓄積される電力を前記各相電力経路に出力することを可能とすること
としたものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００６０
【補正方法】変更
【補正の内容】
【００６０】
【発明の効果】
以上のようにこの発明に係る電力変換装置は、接続される負荷に多相交流で電力を出力する電力変換装置であって、前記多相交流の各相を構成する複数の各相電力経路と、前記複数の各相電力経路にそれぞれ接続される複数の各相電力出力回路と、前記複数の各相電力出力回路にそれぞれ接続される複数の各相電力蓄積手段と、前記複数の各相電力経路に接続される多相電力出力回路と、前記多相電力出力回路に接続される多相電力蓄積手段と、前記複数の各相電力出力回路と前記多相電力出力回路とを制御して、前記複数の各相電力経路を経由して前記負荷に所定値の電力を出力させる制御回路とを備え、前記複数の各相電力出力回路は、前記制御回路の制御に基づいて、接続される前記各相電力蓄積手段に蓄積される電力を接続される前記各相電力経路に出力すること、または前記接続される各相電力経路を経由して入力される電力を前記接続される各相電力蓄積手段に蓄積することを可能とし、前記多相電力出力回路は、前記制御回路の制御に基づいて、前記多相電力蓄積手段に蓄積される電力を前記各相電力経路に出力することを可能とすることとしたので、各相電力蓄積手段に電力を蓄積する構成を簡略化することが可能となる。
【手続補正１３】
【補正対象書類名】明細書
【補正対象項目名】００６１
【補正方法】削除
【補正の内容】
【手続補正１４】
【補正対象書類名】明細書
【補正対象項目名】００６２
【補正方法】削除
【補正の内容】
【手続補正１５】
【補正対象書類名】明細書
【補正対象項目名】００６３
【補正方法】削除
【補正の内容】
【手続補正１６】
【補正対象書類名】明細書
【補正対象項目名】００６４
【補正方法】削除
【補正の内容】
【手続補正１７】
【補正対象書類名】明細書
【補正対象項目名】００６５
【補正方法】削除
【補正の内容】
【手続補正１８】
【補正対象書類名】明細書
【補正対象項目名】００６６
【補正方法】削除
【補正の内容】
【手続補正１９】
【補正対象書類名】明細書
【補正対象項目名】００６７
【補正方法】削除
【補正の内容】
【手続補正２０】
【補正対象書類名】明細書
【補正対象項目名】００６８
【補正方法】削除
【補正の内容】
【手続補正２１】
【補正対象書類名】明細書
【補正対象項目名】００６９
【補正方法】削除
【補正の内容】